(57)【要約】【目的】  本発明は、法面に間伐材や丸太を菱形の格子枠状に組み上げた後、その格子枠の内側沿って不陸用客土袋を設置することにより法面の土砂の流失を防止し、且つ植物の生育に適した法面を確保して緑化を図る丸太法枠工法であり、間伐材の有効利用促進と共に、丸太特有の温もり等自然環境に調和を保つ特ようにした。【構成】  丸太法枠工法において、傾斜地盤(Ｂ)に内角が略直角を成す菱形格子(A)を形成する傾斜丸太(1)の上辺に沿って不陸用客土袋(10)を設置し、且つ取付プレート(2)に丸太(1)の端部を十文字形の交差部(C)を載置し、その取付プレートをロックボルト(4)を打ち込んで傾斜地盤(Ｂ)に固定し、交差部(C)における丸太(1)の端部を木杭(6)を取付プレート(2)の孔(7)に挿通して地盤(Ｂ)に打ち込んだ構成。【選択図】      図１
2005133359.tif 000002
【特許請求の範囲】
【請求項１】
傾斜地盤(Ｂ)に内角が略直角を成す菱形格子(A)を形成する傾斜丸太(1)の上辺に沿って不陸用客土袋(10)を設置したことを特徴とする丸太法枠工法。
【請求項２】
傾斜地盤(Ｂ)に内角が略直角を成す菱形格子(A)を形成する傾斜丸太(1)の上辺に沿って不陸用客土袋(10)を設置し、且つ取付プレート(2)に丸太(1)の端部を十文字形の交差部(C)を載置し、その取付プレートをロックボルト(4)又はアンカー(4′)を打ち込んで傾斜地盤(Ｂ)に固定し、交差部(C)における丸太(1)の端部を木杭(6)又はアンカーピンを取付プレート(2)の孔(7)に挿通して地盤(Ｂ)に打ち込んだことを特徴とする丸太法枠工法。
【請求項３】
傾斜地盤(Ｂ)に内角が略直角を成す菱形格子(A)を形成する傾斜丸太(1)の上辺に沿って不陸用客土袋(10)を設置し、且つ取付プレート(2)に丸太(1)の端部を十文字形の交差部(C)を、その両側に打ち込んだ補強杭(8)と丸太(1)に鎹(9)で連結固定したことを特徴とする丸太法枠工法。
【発明の詳細な説明】
【技術分野】
【０００１】
本発明は、法面に間伐材や丸太を菱形の格子枠状に組み上げた後、その格子枠の内側沿って不陸用客土袋を設置することにより法面の土砂の流失を防止し、且つ植物の生育に適した法面を確保して緑化を図る丸太法枠工法であり、間伐材の有効利用促進と共に、丸太特有の温もり等自然環境に調和を保つ特長を有する。
【背景技術】
【０００２】
一般の法枠工には、モルタル又はコンクリート吹付による吹付のり枠工や、プレキャスト製品におけるコンクリート枠、プラスチック枠、金属製枠などによるプレキャストが存在する。
【０００３】
そして、従来、法面に丸太又はコンクリート又は強化プラスチック製のブロックを格子状に組んで降雨による浸食を防止しながら、草木や本木を確実に定着させて生育させるための工法の発明は、下記の特許文献に示す通り知られている。
【０００４】
【特許文献１】特開２００２−２２０８４０号公開特許公報
【特許文献２】特開２００２−３７１５６１号公開特許公報
【特許文献３】特開平０９−１４４００６号公開特許公報
【発明の開示】
【発明が解決しようとする課題】
【０００５】
ところが前記特許文献１の発明にあっては、丸太を角材に加工し、且つ角材の長さ方向の端面に貫通孔をあけ、その孔に金属ボルトを挿通して角材同士を連結して格子を組む構造になっている。そのため、広い法面に無数の格子を施工するために多量の金属ボルトを用いなければならず、且つその交差部を各筒状の連結体内で連結するの甚だ面倒で手間が掛かっていた。
【０００６】
次に、特許文献２の発明にあっては、間伐丸太を用い、その交差部を十字形又は三股形に組んで格子枠を成形しているが、降雨に対する排水効率の点では古くからの丸太法枠と変わることがない。
【０００７】
さらに、特許文献３の発明にあっては、コンクリート又はプラスチックの保護ブロックを組み合わせて格子枠を成形し、その格子平面に導水路を設けてある点は降雨に対して有効ではあるが、材料が木材でないため、出来上がった格子枠は周知のコンクリート法枠とかわることがなく、景観上好ましくない。また格子枠を構成する交差部は十文字型ブロックであるため、その重量は相当に重くなて人力では持ち運びが困難となり、クレーン等の吊り上げ機械を必要とし、コスト高になる。そして、時間が経過しても製品自体が存在し、植物の生育に支障をきたす場合もある。
【課題を解決するための手段】
【０００８】
本発明の第１は、丸太法枠工法において、傾斜地盤に内角が略直角を成す菱形格子を形成する傾斜丸太の上辺に沿って不陸用客土袋を設置したものである。
【０００９】
本発明の第２は、丸太法枠工法において、傾斜地盤に内角が略直角を成す菱形格子を形成する傾斜丸太の上辺に沿って不陸用客土袋を設置し、且つ取付板に丸太の端部を十文字形の交差部を載置し、その取付プレートをロックボルト又はアンカーを打ち込んで傾斜地盤に固定し、交差部における丸太の端部を木杭又はアンカーピンを取付プレートの孔に挿通して地盤に打ち込んだものである。
【００１０】
本発明の第３は、丸太法枠工法において、傾斜地盤に内角が略直角を成す菱形格子を形成する傾斜丸太の上辺に沿って不陸用客土袋を設置し、且つ取付プレートに丸太の端部を十文字形の交差部を、その両側に打ち込んだ補強杭と丸太に鎹で連結固定したものである。
【発明の効果】
【００１１】
本発明は上記の構成であるから、次のような効果がある。すなわち、第１に、菱形格子を形成する傾斜丸太の内側に沿って不陸用客土袋を地盤に馴染ませて敷き詰めたことにより、降雨によって緩んだ傾斜地盤の土砂の流出を防止する。また、客土厚が増し、中低木の植栽が可能となる。
【００１２】
取付板の中央部位の孔から地盤に打ち込んだロックボルト又はアンカーによって比較的小規模で傾斜地盤の崩壊頻度の高い崩壊深度１〜２ｍ程度の崩壊は抑止できる。
【００１３】
間伐材の有効利用および二酸化炭素を固定した木材を利用するため、地球温暖化の防止、二酸化炭素の抑制、自然環境との調和等の効果が期待できる。
【００１４】
丸太は植物が生長するまでの期間内は表土の固定等、傾斜地盤の侵食および造成した生育基盤材を固定する緑化基礎工として目的を達成し、植物の生長により傾斜地盤の安定が増すに従って腐食し、植物の養分として自然の土に変える。
【００１５】
丸太は自然や植物と馴染みやすく、景観を損なうことがなく、さらに温もりや安心感などを提供でき、周辺環境と調和しやすい。また丸太は断面が丸形であるため周辺の植物が侵入しやすい。さらに、丸太は保湿性があるため植物の生育環境に適している。そして、丸太による法枠は、吹付枠工のようにモルタルやコンクリートを使用しないため、施工時期を問わず冬期の施工も可能である。
【００１６】
法枠の交差部に丸太固定用の取付プレートを介してアンカーピンで固定することによって植物の生長するまでの間は、丸太との相乗効果で法面の侵食および造成した土壌の安定が図れる。また、交差部にロックボルト（鉄筋などの補強材を挿入する）を使用することで比較的小規模で法面の崩壊頻度の高い崩壊深度１〜２ｍ程度の崩壊を抑止できる。さらに、ロックボルトの使用によって、斜面や法面全体の安定性を高めることができるため、法面の安定勾配が確保できない場合でも有効である。
【００１７】
取付プレートは表面に突起することがないため、動植物の活動にやさしく、さらに丸太で覆われているため目立たず自然環境と調和しやすい。また、プレートは丸太が腐食した後でもアンカー、ロックボルトと共にその効力は持続する。
【００１８】
菱形格子の交差部の両側に打ち込んだ補強杭と丸太に鎹を打ち込み、取付プレートを設けないでも菱形格子が強固に成形されるから、金属材料がより省略され、間伐丸太だけの自然状態を保つことができる。
【発明を実施するための最良の形態】
【００１９】
「実施例」
次に本発明の実施例を図面に基づいて説明する。１は内角が直角を成す菱形の格子Ａを形成するために所定の長さＬに切り揃えた丸太であり、その端面を截頭したクサビ形に加工し、十文字形の交差部Ｃで接合する構造になっている。
【００２０】
２は丸太を載置して固定するための取付プレートであり、その中央部にロックボルト又はアンカー等の止め具挿通用孔３と、その孔３の外側に十文字形に配列した丸太取付用孔５をあけてある。取付プレートの形状は図示例は矩形を示すが他の多角形や円形等任意である。
【００２１】
４は取付プレート２の中央部の孔５に挿通して地盤Ｂに打ち込んだロックボルト４又は頭部が鈎形のアンカー４′であり、崩壊深度１〜２ｍに耐え得る長さとする。６は十文字形に配列した丸太取付用孔５に挿通して地盤Ｂに打ち込む木杭を主とし、且つアンカーピン等を含む棒軸状の止め具、７は丸太１の交差部Ｃの端部近傍にあけた止め具用孔である。
【００２２】
８は菱形格子Ａの交差部Ｃにおける側面に打ち込んだ補強杭、９はその補強杭の平面と丸太１に打ち込んだ鎹（かすがい）である。１０は不陸用客土袋であり、中身は伐採木材を加工したチップや乾燥汚泥若しくはバーク堆肥等を用いてある。
【００２３】
「具体的な施工例１（図４〜図６）」  施工手順は次の通りである。（１）なるべく同じ太さの間伐丸太１を用意し、且つ所定の長さＬに切り揃える。（２）十文字形になる一方の一対の丸太の端面を密接ないしは近接し、その継ぎ目を挟んでその両側面に他方の一対の丸太の端面を当てることにより内角が直角を成す交差部Ｃを形成して地盤Ｂに配置する。（３）取付プレートの孔３からロックボルト４を打ち込み、取付プレート２を介して前記の交差部Ｃを地盤Ｂに押圧固定する。（４）継ぎ目側の丸太端部の孔７と取付プレート３の孔５に木杭６を挿通して傾斜地盤Ｂに打ち込んで出来上がった菱形格子Ａを固定する。（５）菱形格子Ａを形成する傾斜丸太１の上辺の内側に沿って不陸用客土袋１０を地盤Ｂに馴染むように敷き詰める。
【００２４】
「具体的な施工例２（図７）」  （１）なるべく同じ太さの間伐丸太１を用意し、且つ所定の長さＬに切り揃える。（２）丸太を内角が略直角を成す菱形格子Ａを形成して地盤Ｂに配置する。（３）菱形格子Ａの交差部Ｃにおける両側に補強杭８を打ち込む。（４）その補強杭の頂面と丸太１に鎹９を打ち込んで菱形格子Ａの交差部Ｃを固定して菱形格子Ａを傾斜地盤Ｂに固定する。（５）菱形格子Ａを形成する傾斜丸太１の上辺の内側に沿って不陸用客土袋１０を地盤Ｂに馴染むように敷き詰める。
【産業上の利用可能性】
【００２５】
本発明は、崩壊又は造成した法面を適切な植栽を施して自然の景観を修復しながら、且つ施工した法面を降雨等によって土砂の流失を防止するあらゆる緑化工事に適用することができる。
【図面の簡単な説明】
【００２６】
【図１】菱形格子内に不陸用客土袋を設置した例の概略平面図である。
【図２】図１の丸太法枠の一部の拡大図である。
【図３】図２の３−３線に沿う断面図である。
【図４】菱形格子の交差部において、丸太端部において木杭を取付プレートの孔に挿通して傾斜面に打ち込んだ例を示す平面図である。
【図５】図４の５−５線に沿う横断面図である。
【図６】図４の６−６線に沿う拡大横断面図である。
【図７】菱形格子の交差部の両側に打ち込んだ補強杭と丸太を鎹で連結した平面図である。
【符号の説明】
【００２７】
１……丸太
２……取付プレート
３……ロックボルト又はアンカー挿通孔
４……ロックボルト又はアンカー
５……木杭又はアンカーピン挿通孔
６……木杭又はアンカーピン等の止め具
７……丸太端部にあけた孔
８……補強杭
９……鎹
１０……不陸用客土袋
【図１】
2005133359.tif 000003
【図２】
2005133359.tif 000004
【図３】
2005133359.tif 000005
【図４】
2005133359.tif 000006
【図５】
2005133359.tif 000007
【図６】
2005133359.tif 000008
【図７】
2005133359.tif 000009